(57)【特許請求の範囲】
【請求項１】
広告を表示するための電子看板本体（１）と、該電子看板本体（１）近傍の広告視聴候補者（Ｋ）を撮影するためのカメラ装置（２）と、を備え、
さらに、広告がターゲットとしている人物像を分類した視聴者層データと、該視聴者層データと関連付けられた広告データと、が予め入力されて記憶されているデータ記憶部（５）と、
上記カメラ装置（２）からの映像データを受信して、撮影された上記広告視聴候補者（Ｋ）が何れの上記視聴者層データに対応するか判定し、判定した視聴者層データと対応する上記視聴者層データに関連付けられた広告データを選択して、該選択した広告データを上記電子看板本体（１）に表示させる視聴者認証広告選択手段（31）を有する情報処理装置（３）と、
を具備し、
上記電子看板本体（１）は、表て面側ディスプレイ部（10Ａ）と背面側ディスプレイ部とを有すると共に、上記電子看板本体（１）には、鉛直状のカメラ軸心廻りに首振自在な上記カメラ装置（２）と、上記広告視聴候補者（Ｋ）を上記電子看板本体（１）に誘引するための誘引装置（51）とが取着され、
上記情報処理装置（３）は、上記カメラ装置（２）からの映像データに基づいて上記誘引装置（51）を作動させる誘引動作指示手段（59）を有し、
さらに、上記電子看板本体（１）は、公共機関に通信回線網（Ｔ）を介して接続され、公共機関から緊急情報を受信すると作動する警告灯と、公共機関から緊急情報を受信すると警告音を出力する警報音声出力器と、公共機関から緊急情報を受信すると上記広告データより優先して該緊急情報を表示する緊急情報割り込み手段と、を備えることを特徴とする誘引性多目的電子看板システム。
【請求項２】
上記電子看板本体（１）は、公共機関から緊急情報を受信すると、携帯端末基地局に受信した緊急情報を送信して携帯端末に緊急情報を配信する請求項１記載の誘引性多目的電子看板システム。
【請求項３】
上記情報処理装置（３）は、上記誘引動作指示手段（59）によって、上記カメラ装置（２）からの映像データを受信して、上記電子看板本体（１）近傍の上記広告視聴候補者（Ｋ）が所定数以下の少人数か所定数より多い多人数かを判定し、小人数の場合に、上記誘引装置（51）を作動させる請求項１又は２記載の誘引性多目的電子看板システム。
【発明の詳細な説明】
【技術分野】
【０００１】
本発明は、誘引性多目的電子看板システムに関する。
【背景技術】
【０００２】
従来の電子看板システムは、交通機関、商業施設（店頭）、銀行、ホテル、病院等のビル（建物）の壁面や公共空間など、家庭以外の様々な場所に設置されたディスプレイに対して、デジタル技術を活用して映像や文字情報を伝達（表示）するシステムで、このシステムは、電子看板本体に、ディスプレイと制御部と通信部とを備えていた（例えば、特許文献１参照）。
電子看板の利用形態は大別して、駅や役所等でのインフォメーション型と、商業施設等での商品の宣伝を行なう広告型と、があり、インフォメーション型と広告型の混在（混合）型も多数見られる。その他にも、企業内での社員教育や情報共有に、また、アートとして都市景観の向上にも一役買うなどその活用範囲は漸次拡大傾向を示している。
電子看板は、旧態依然の看板やポスター、チラシに代わる広告媒体として、情報量が格段に優れ、動画や音声で効果的にアピールが出来るのみならず通信ネットワーク（インターネット等の情報回線網）を使いリアルタイムな操作で、表示する広告内容（広告データ）を随時配信、変更が可能である為、設置場所の地域性を考慮した広告メッセージを配信でき、新しいメディアとしての地位を築く事は間違いないものと推察される。
一方、従来の電子看板システムに対して、冷めた見方もあり、多くのＴＶチャンネルで、四六時中コマーシャルが氾濫し、さらには、ＴＶショッピング専用チャンネルや、インターネット通販、カタログショッピング等が極一般化している世情では、電子看板への広告配信が、売上向上に繋がっているや否やの判定は不明瞭で、その効果については疑問視する業界人もいて、広告媒体として早くも一つのターニングポイントを迎えていた。
【先行技術文献】
【特許文献】
【０００３】
【特許文献１】特開平８−１９４４４７号公報
【発明の概要】
【発明が解決しようとする課題】
【０００４】
従って、電子看板の存在意義を再検討し人々の目を引き付け、広告送り手側の意図を適切に伝達し、また、広告受け手側（ユーザー）のリアルな訴求、即ち、人々の心に強くアピールしうる宣伝（商品内容）を表示するダイレクトマーケティングツールとして進歩発展せしめることが課題と言える。
つまり、従来の電子看板システムは、広告がターゲットとしている商品購入予定者の人物像と、電子看板に表示された広告を実際に視聴する視聴者の人物像が異なることが多く、広告内容（商品）を有効にアピール（宣伝）できていないといった問題があった。言い換えると、視聴者の年齢や性別等の人物像に合った広告でないため、視聴者の関心が薄く、心にも強く残らず効率が悪いという問題があった。
【０００５】
そこで、本発明は、宣伝効率が良く、高い宣伝効果が得られる誘引性多目的電子看板システムの提供を目的とする。
【課題を解決するための手段】
【０００６】
上記目的を達成するために、本発明の誘引性多目的電子看板システムは、広告を表示するための電子看板本体と、該電子看板本体近傍の広告視聴候補者を撮影するためのカメラ装置と、を備え、さらに、広告がターゲットとしている人物像を分類した視聴者層データと、該視聴者層データと関連付けられた広告データと、が予め入力されて記憶されているデータ記憶部と、上記カメラ装置からの映像データを受信して、撮影された上記広告視聴候補者が何れの上記視聴者層データに対応するか判定し、判定した視聴者層データと対応する上記視聴者層データに関連付けられた広告データを選択して、該選択した広告データを上記電子看板本体に表示させる視聴者認証広告選択手段を有する情報処理装置と、を具備し、上記電子看板本体は、表て面側ディスプレイ部と背面側ディスプレイ部とを有すると共に、上記電子看板本体には、鉛直状のカメラ軸心廻りに首振自在な上記カメラ装置と、上記広告視聴候補者を上記電子看板本体に誘引するための誘引装置とが取着され、上記情報処理装置は、上記カメラ装置からの映像データに基づいて上記誘引装置を作動させる誘引動作指示手段を有し、さらに、上記電子看板本体は、公共機関に通信回線網を介して接続され、公共機関から緊急情報を受信すると作動する警告灯と、公共機関から緊急情報を受信すると警告音を出力する警報音声出力器と、公共機関から緊急情報を受信すると上記広告データより優先して該緊急情報を表示する緊急情報割り込み手段と、を備えるシステムである。
【０００７】
また、上記電子看板本体は、公共機関から緊急情報を受信すると、携帯端末基地局に受信した緊急情報を送信して携帯端末に緊急情報を配信するシステムである。
また、上記情報処理装置は、上記誘引動作指示手段によって、上記カメラ装置からの映像データを受信して、上記電子看板本体近傍の上記広告視聴候補者が所定数以下の少人数か所定数より多い多人数かを判定し、小人数の場合に、上記誘引装置を作動させるシステムである。
【発明の効果】
【０００８】
本発明によれば、広告送り手側が広告内容を伝えたい、広告ターゲット者に確実に広告を見てもらうことができ、優れた宣伝効率を得ることができる。
また、広告受け手側（視聴者）が興味を持つ広告が表示され、広告内容が強く心に残り高い宣伝効果を得ることができる。広告送り手側と受け手側の意図がマッチングしやすく、優れた宣伝効率と宣伝効果が得られる。
【図面の簡単な説明】
【０００９】
【図１】本発明の実施の一形態を示す簡略構成図である。
【図２】実施の一形態を示すブロック図である。
【図３】広告視聴候補者が成人男性の場合の使用状態の一例を示す斜視図である。
【図４】広告視聴候補者が成人女性の場合の使用状態の一例を示す斜視図である。
【図５】広告視聴候補者が高齢者の場合の使用状態の一例を示す斜視図である。
【図６】広告視聴候補者が幼児の場合の使用状態の一例を示す斜視図である。
【図７】作用を説明するための簡略平面図である。
【図８】作用を説明するための簡略平面図である。
【発明を実施するための形態】
【００１０】
以下、図示の実施形態に基づき本発明を詳説する。
本発明に係る誘引性多目的電子看板システムは、図１及び図２の実施の一形態に於て、広告を表示するための複数の電子看板本体１，１と、複数の電子看板本体１に夫々取着され電子看板本体１の近傍の広告視聴候補者Ｋを撮影するためのカメラ装置２と、データを記憶して保持するためのデータ記憶部５（５Ａ，５Ｂ，５Ｃ）と、電子看板本体１及びカメラ装置２とインターネット等の通信回線網Ｔを介して接続されたコンピュータ等の情報処理装置３と、を備えている。
【００１１】
電子看板本体１は、広告を表示するための表示部10と、表示部10を鉛直状の看板軸心廻りに首振自在に首振動作させるための看板首振動作部11と、広告内容等を音声で出力する音声出力部12と、を備えている。
【００１２】
表示部10は、表て面側ディスプレイ部10Ａと、背面側ディスプレイ部と、を有する両面パネル型である。両ディスプレイ部とも防水仕様であり、屋外使用が可能に構成されている。また、表て面側と背面側のディスプレイパネルの種類（方式）を相違させている。
なお、本発明に於て、表て面側と背面側のディスプレイパネルの種類を相違させた両面パネル型の電子看板本体１を、ハイブリッドディスプレイ型の電子看板本体１と呼ぶ場合がある。
例えば、ハイブリッドディスプレイ型の電子看板本体１は、一方を液晶パネルとし、他方をＬＥＤパネルとしている。ディスプレイパネルの種類としては、有機ＥＬパネルや電子ペーパー（導電性フィルム）型パネル等でも良い。
【００１３】
看板首振動作部11は、電動モータと、電動モータによって作動する回転軸と、回転軸を保持するベアリング軸受等の部材を備え、表示部10が看板軸心廻りに左右に１８０度回転するように設けている。或いは、表示部10を看板軸心廻りの一方向に３６０度回転するように設けている。本発明に於て、看板軸心廻りに首振自在とは、看板軸心廻りに回転自在（鉛直状の看板軸心廻りの一方向に表示部10が３６０度回転すること）を含む。
【００１４】
音声出力部12は、視聴者によって、音量調節が可能であって、固定型スピーカや、固定型スピーカからの音声をＯＦＦにした場合に音声を聞くことが可能な小型レシーバー（携帯型スピーカ）、ヘッドフォン、イヤフォン等である。
【００１５】
カメラ装置２は、電子看板本体１近傍の通行人や待ち合わせ中の人等の広告視聴候補者Ｋを撮影するものであって、撮影レンズやピント調節機能等を有するカメラ撮影部20と、カメラ撮影部20を鉛直状の看板軸心廻りに首振作動させるためのカメラ首振動作部21と、を備えている。
カメラ首振動作部21は、カメラ軸心廻りに左右に首振自在に１８０度回転するように設けている。或いは、カメラ軸心廻りの一方向に３６０度回転するように設けている。本発明に於て、カメラ軸心廻りに首振自在とは、カメラ軸心廻りに回転自在（鉛直状のカメラ軸心廻りの一方向に３６０度回転すること）を含む。
【００１６】
データ記憶部５には、広告がターゲットとしている人物像を分類した視聴者層データと、視聴者層データと関連付けられた広告データと、が予め入力されて記憶されている。
【００１７】
視聴者層データとは、性別分類データや年齢分類等のデータである。
性別分類データとは、例えば、「男性」「女性」「性別分類関係なし」等である。
年齢分類データとは、例えば、「７才未満」「７〜１１才」「１２〜１５才」「１６〜１９才」「２０〜３０才」「３１〜４０才」「４１〜５０才」「５１〜６０才」「６１〜７０才」「７０才以上」や、「１８才未満」「１８才以上」「２０才未満」「２０才以上」「年齢分類関係なし」「幼稚園児以下程度」「小学生程度」「中学生程度」「高校生程度」「大学・成人程度」「高齢者程度」等である。
【００１８】
また、広告データとは、例えば「大型ワゴンの自動車」「男性用スーツ」「ハンドバック」「化粧品」「ぬいぐるみ」「歩行補助カート」等の商品を紹介（宣伝）する動画や静止画、文字等の画像データ及び音声出力用の音声データである。
【００１９】
視聴者層データと関連付けられた広告データとは、例えば、「大型ワゴンの自動車」や「男性用スーツ」には、「男性」「１８才以上」「大学・成人程度」が関連付けされている。「ハンドバック」や「化粧品」には、「女性」「１８才以上」「大学・成人程度」が関連付けされている。「ぬいぐるみ」には「男性」「女性」「７才未満」「７〜１１才」が関連付けされている。「歩行補助カート」には「男性」「女性」「７０才以上」「高齢者程度」が関連付けられている。つまり、広告データに、その広告データ（広告送り手側）がターゲットとしている視聴者層データを関連付けている。言い換えると、視聴者層データに、その視聴者層に対応する広告視聴候補者Ｋ（広告受けて手側）が興味・関心を持つであろう広告データを関連付けている。
【００２０】
情報処理装置３は、カメラ装置２が撮影した（電子看板本体１近傍）の広告視聴候補者Ｋを撮影した映像データを受信して、撮影した広告視聴候補者Ｋが何れの視聴者層データに対応するか判定し、その判定した候補者判定結果データと視聴者層データが一致（対応）する視聴者層データに関連付けされた広告データを選択して、選択した広告データを電子看板本体１に出力（表示及び音声出力）するように遠隔制御（操作）する視聴者認証広告選択手段31を有している。
なお、広告データに複数の年齢分類データが関連付けられている場合、候補者判定結果データが、複数の年齢分類データと全て一致する必要はなく、少なくとも１つの年齢分類データと一致すれば良い。
【００２１】
そして、視聴者認証広告選択手段31が、何れの視聴者層データに対応するかを行なう判定（認証判定）は、映像データの広告視聴候補者Ｋの顔の画像を分析して判定する顔認証判定である。
【００２２】
さらに、情報処理装置３は、カメラ装置２からの映像データを受信して、撮影された広告視聴候補者Ｋの人数分布を読み取って分析し、分析した人数分布結果データに基づいて、電子看板本体１が向く方向を決定し、電子看板本体１の看板首振動作部11を遠隔制御（操作）して、決定した方向に首振作動させる表示方向決定手段32を有している。
【００２３】
また、情報処理装置３は、分析データ（候補者判定結果データ及び人数分布データ）を、時間（日時や曜日）データと関連付けてデータ記憶部５に記憶（保持）させる分析情報保管指示手段33を有している。広告送り手側は、分析データを広告戦略に使用できる。
【００２４】
さらに、本発明に係る電子看板システムは、広告視聴候補者Ｋを電子看板本体１に誘引する集客手段50を備えている。
集客手段50は、電子看板本体１に取着される誘引装置51と、誘引装置51の動作を指令する誘引動作指示手段59を有する情報処理装置３と、電子看板本体１に送信される誘引データと、である。
【００２５】
誘引装置51は、例えば、人工的に虹を発生させる虹発生装置、様々なパターンの擬似（人工）オーロラを発生させるオーロラ発生装置、色付きのスモークを発生させるスモーク発生装置、レーザ状光線を（上方へ）照射する光線発生装置、世界の鉄道模型が走行する等のジオラマ装置（表示部10の外枠上部に設けるのが望ましい）、全国の有名なゆるキャラやご当地ヒーロー等のぬいぐるみやフィギュア等が（日替わりで）飛び出す人形飛出装置、ＬＥＤ等の電飾が点灯・点滅するイルミネーション装置（表示部10の外枠に設けるのが望ましい）、電子看板本体１近傍で森林浴の気分を感じる香りや花の香りや季節の香り等の香りを発生させることが可能な匂い発生装置、手相占い装置、星座占い装置等である。また、電子看板本体１の表示部10及び音声出力部12も誘引装置51である。
【００２６】
また、誘引動作指示手段59は、カメラ装置２からの映像データを受信して、広告視聴候補者Ｋが電子看板本体１近傍（撮影範囲）に存在するか否か判定し、存在しない場合に、誘引装置51を作動させる（例えば、虹を発生させる。又は、誘引データをデータ記憶部５から読み出して電子看板本体１に出力させる）。
【００２７】
なお、誘引動作指示手段59を、所定数（例えば４人）以下の少人数か、所定数より多い多人数かを判定し、少人数の場合に、誘引装置51を作動させるように構成しても良い。
また、誘引動作指示手段59を、所定時間毎に誘引装置51を作動させるように構成しても良い。また、誘引動作指示手段59を、カメラ装置２からの映像データを受信して、撮影された広告視聴候補者Ｋが何れの視聴者層データに対応するか判定し、判定した視聴者層データと一致する（対応する）視聴者層データに関連付けられた誘引装置51を作動させるように構成しても良い。
【００２８】
また、誘引データは、例えば、データ記憶部５に予め入力されて記憶されている映画、アニメ、ＣＧ（コンピュータグラフィックによる恐竜の行進動画や宇宙の旅の動画等）、星座占い画像、手相占い画像等の誘引用画像データ及び誘引用音声データである。或いは、インターネット等を介して得られるスポーツ中継等の生放送データ、インターネットＴＶの録画放送データ等の誘引用画像データ及び誘引用音声データである。
【００２９】
また、誘引装置51にタイマーを有する看板本体制御部を設けても良い。そして、所定時間毎（１時間毎）に作動と停止を繰り返す、又は、時間帯（通勤・通学時間帯や帰宅時間帯）に応じて光の色を変える等の演出を変化するように設けても良い。
【００３０】
また、情報処理装置３は、ＣＰＵ等の演算処理部と、データやプログラムを記憶するＲＡＭ（ランダムアクセスメモリ）やＲＯＭ（リードオンリーメモリ）や内部ＨＤ（ハードディスク）等の内部記憶装置８と、を備えたコンピュータである。
【００３１】
視聴者認証広告選択手段31と表示方向決定手段32と分析情報保管指示手段33と誘引動作指示手段59は、具体的には、演算処理部と、内部記憶装置８と、内部記憶装置８に設けたプログラム記憶部４に記憶されているプログラム等である。
【００３２】
また、情報処理装置３には、キーボードやマウス、タッチパネル等の入力装置７と、モニター等の表示装置６が接続されている。
また、情報処理装置３が行なう電子看板本体１とカメラ装置２と誘引装置51の遠隔操作は、リモートデスクトップ接続、ＶＮＣ接続、それに類するＶＰＮ接続等の公知の遠隔操作技術を用いれば良い。
【００３３】
また、情報処理装置３には通信回線網Ｔを介して外部記憶装置９が接続されている。
外部記憶装置９は、オンラインストレージ型やクラウド型のサーバー装置等である。
なお、情報処理装置３に追加記憶装置80を接続しても良い。追加記憶装置80は、ＣＤやＤＶＤ等の記憶媒体にデータを保持させるリーダーラーター装置、ハードディスク等にデータを保持させる外付けハードディスク装置、ＵＳＢメモリ、小片記憶媒体等である。
【００３４】
データ記憶部５は、図１に於て、内部記憶装置８に設けたデータ記憶部５Ａと、外付けハードディスク型の追加記憶装置80に設けたデータ記憶部５Ｂと、サーバー型の外部記憶装置９に設けたデータ記憶部５Ｃと、を図示している。
また、容量の大きい広告データや誘引データを外部記憶装置９（サーバー装置）のデータ記憶部５Ｃに記憶させ、視聴者層データや分析データ等を内部記憶装置８（内部ＨＤ）のデータ記憶部５Ａに記憶させ、配信、更新、削除が行なえるように構成している。
なお、データ記憶部５及びプログラム記憶部４は、内部記憶装置８と追加記憶装置80と外部記憶装置９の何れか１つに設けても良い。
【００３５】
次に、本発明の誘引性多目的電子看板システムの使用方法（作用）について説明する。
図１に示すように、カメラ装置２は、首振作動して、電子看板本体１の近傍の広告視聴候補者Ｋを撮影した映像データを情報処理装置３に送信する。
映像データを受信した情報処理装置３は、視聴者認証広告選択手段31によって、撮影された広告視聴候補者Ｋが何れの視聴者層データに対応するか顔認証によって判定し、判定した視聴者層データと一致する視聴者層データに関連付けられた広告データを選択して、その選択した広告データを電子看板本体１に出力（表示及び音声出力）させる。
【００３６】
例えば、視聴者認証広告選択手段31は、図３に示すように、広告視聴候補者Ｋが、成人男性である場合、「男性」、「１８才以上」、「大学・成人程度」という視聴者層データに対応するという判定をし、「男性」「１８才以上」「大学・成人程度」が関連付けされている「大型ワゴンの自動車」の広告データを選択する。そして、電子看板本体１に、「大型ワゴンの自動車」の広告データを出力させる。
【００３７】
また、図４に示すように、広告視聴候補者Ｋが、成人女性である場合、「女性」、「１８才以上」、「２０〜３０才」、「大学・成人程度」という視聴者層データに対応するという判定をし、「女性」「１８才以上」「大学・成人程度」が関連付けされている「ハンドバック」の広告データを選択する。そして、電子看板本体１に、「ハンドバック」の広告データを出力させる。
【００３８】
また、図５に示すように、広告視聴候補者Ｋが、高齢者の男性である場合、「男性」、「６６才以上」、「高齢者程度」という視聴者層データに対応するという判定をし、「男性」「女性」「６６才以上」「高齢者程度」が関連付けされている「歩行補助カート」の広告データを選択する。そして、電子看板本体１に、「歩行補助カート」の広告データを出力させる。
【００３９】
また、図６に示すように、広告視聴候補者Ｋが、女の幼児である場合、「女性」、「幼稚園児以下程度」「７才未満」という視聴者層データに対応するという判定をし、「男性」「女性」「７才未満」「７〜１１才」が関連付けされている「ぬいぐるみ」の広告データを選択する。そして、電子看板本体１に、「ぬいぐるみ」の広告データを出力させる。
【００４０】
また、映像データを受信した情報処理装置３は、誘引動作指示手段59によって、カメラ装置２からの映像データを受信して、電子看板本体１近傍に広告視聴候補者Ｋが存在するか（所定数以下の少人数か）否か判定する。
そして、誘引動作指示手段59は、広告視聴候補者Ｋがいない場合（少人数の場合）に、誘引装置51を作動させる。すると、電子看板本体１近傍に人（広告視聴候補者Ｋ）が集まる。つまり、集客手段50によって広告視聴候補者Ｋを電子看板本体１近傍に引き寄せる。
【００４１】
そして、図７に示すように、カメラ装置２が首振して、電子看板本体１の近傍を撮影した映像データを情報処理装置３に送信する。
映像データを受信した情報処理装置３は、表示方向決定手段32によって、撮影された広告視聴候補者Ｋの人数分布を読み取って分析し、電子看板本体１近傍のどの位置に、広告視聴候補者が多く存在しているか分析して人数分布結果データを作成する。さらに、図８に示すように、電子看板本体１の表示部10（表て面側ディスプレイ部10Ａ）が、他の方向を向いている場合に比べて、多くの広告視聴候補者Ｋと対面状となる向きに（表示部10が見易くなる向きに）、首振作動させる（看板首振動作部11を作動させる）。
【００４２】
また、通勤・通学ラッシュや、帰宅ラッシュ等のように、大勢の人（広告視聴候補者Ｋ）が一定方向に歩いている場合は、表示方向決定手段32によって、撮影された広告視聴候補者Ｋの人数分布を読み取って分析し人の流れ方向を決定し、人数分布結果データを作成する。さらに、表示方向決定手段32は、人の流れの上流側（人の顔が多く撮影できた側）に、電子看板本体１の表示部10（表て面側ディスプレイ部10Ａ側）を、首振作動させ、通行中の人が表示部10を見易いようにする。
【００４３】
そして、カメラ装置２は、表示部10（表て面側ディスプレイ部10Ａ）が向いた方向に存在する多くの広告視聴候補者Ｋを撮影した映像データを情報処理装置３に送信する。
情報処理装置３は、撮影された多くの広告視聴候補者Ｋが、何れの視聴者層データに最も多く対応しているか判定し、判定した（多くの広告視聴候補者Ｋが対応する）視聴者層データと一致する視聴者層データに関連付けられた広告データを選択し、選択した広告データを電子看板本体に１に表示させる。例えば、成人男性が多い場合は、「男性用スーツ」の広告データを出力する。成人女性が多い場合は「化粧品」の広告データを出力する。
【００４４】
なお、視聴者層データとして、例えば、「スーツ」「作業着」「スカート」「ジーンズ」「スポーツジャージ」といった服装データを設ける。そして、広告データが、「ビジネスシューズ」、「安全靴」、「ハイヒール」「スニーカー」「ジョギングシューズ」である場合に、「ビジネスシューズ」と「スーツ」、「安全靴」と「作業着」、「スカート」と「ハイヒール」、「ジーンズ」と「スニーカー」、「スポーツジャージ」と「ジョギングシューズ」を関連付け、視聴者認証広告選択手段31が行なう認証判定を、広告視聴候補者Ｋの服装の画像を分析して判定する服装認証判定とし、判定した視聴者層データと一致（対応）する視聴者層データに関連付けされた広告データを選択して、選択した広告データを電子看板本体１に表示するように構成するも良い。
【００４５】
或いは、視聴者層データとして、例えば、「ビジネスバック」「杖」「眼鏡」といった所持品データを設ける。そして、広告データが、「ビジネスシューズ」、「歩行補助カート」、「眼鏡」である場合に、「ビジネスシューズ」と「ビジネスバック」、「歩行補助カート」と「杖」、「眼鏡」と「眼鏡」を関連付け、視聴者認証広告選択手段３１が行なう認証判定を、広告視聴候補者Ｋの所持品の画像を分析して判定する所持品認証判定とし、判定した視聴者層データと一致（対応）する視聴者層データに関連付けされた広告データを選択して、選択した広告データを電子看板本体１に表示するように構成するも良い。
また、顔認証判定と、服装認証判定と、所持品認証判定のいずれか又は全てを組み合わせて判定しても良い。
【００４６】
また、集客手段50として、インターネットＴＶを表示部10に分割して表示し、世界中のＴＶをリアルタイムで視聴可能に設ける。例えば、表示部10が大型ディスプレイの場合は画面分割によって１００〜２００チャンネルを同時に表示する。特に、液晶方式や有機ＥＬ方式のパネルは、表示サイズが小さくとも詳細な画像を表示でき、電子看板本体１近傍を（設置場所を）様々な国籍の人々が集う国際交流の場とすることができる。
また、分割画面よりも大きな画面で見たい場合は、表示部10と一体状のタッチパネル操作部を設けて、表示部10に表示されている表示ナンバーを、視聴者がタッチすることで前画面の４分の１、又は、２分の１、或いは全画面となるようにする。音声はヘッドフォンやイヤフォン等で聞くことを可能にする。語学を学びたい人、学んでいる人、自国の情報を知りたい外国人等にとって何よりの憩いの場とすることができ、集客効果が得られる。
【００４７】
また、電子看板本体１を地域密着型の電子案内板として使用可能な機能を備えている。
電子看板本体１を、役所や警察等の公共機関に通信回線網Ｔを介して接続している。また、データ記憶部５には、電子看板本体１が設置されている場所に夫々対応する避難誘導案内データが、予め入力されて記憶されている。また、電子看板本体１に赤色警告回転灯等の警告灯とサイレン等の警報音声出力器の両方を備えている。警報音声出力器を、音声出力部12とするも良い。また、広告データよりも優先して地震や津波、洪水等の災害の緊急情報を表示する緊急情報割り込み手段を備えている。緊急情報割り込み手段は、電子看板本体１の制御部（図示省略）に設けている。
そして、緊急情報を公共機関から受信した場合は、緊急情報割り込み手段によって、瞬時にその緊急情報に切り換わり、映像や文字、音声で伝達する。さらに、赤色警告回転灯が回り、表示部10が避難方向や避難経路を表示すると共に音声出力部12が避難誘導指示を音声出力する。また、交通情報など刻々と入る新しい情報を順次表示する。表示の輝度も点滅状（高→中→高） に秒単位で切り換わり、一種の点滅交換によって、人目につき易くする。また、（電子看板本体１が駅前等の野外に設置された大型の場合は）サイレン等の警報音声出力器を鳴らす。
さらに、電子看板本体１が災害等の緊急情報を受信すれば、直ちに受信した緊急情報を携帯端末（携帯電話）基地局に発信し、その地域住民の携帯電話等の携帯端末に電子メールにてその情報を提供（配信）する。即ち、一旦、事あれば、地域の人々の安全と安心に寄与する防災緊急用電子看板本体として早変わりする。人々の安全、安心を目指した地域に特化した（災害や防災等）の緊急情報を発信しえるツールとできる。つまり、本発明は、多目的に使用し得る電子看板とそのシステム（多目的電子看板システム）と言える。
【００４８】
なお、本発明は、設計変更可能であって、看板首振動作部11を省略して、ビルの壁面等に固定して設けても良い。表て面側パネルと背面側パネルを同じ種類（方式）のディスプレイパネルとするも良い。また、電子看板本体１を表示部10を水平状の看板軸心回りに上下方向揺動自在に設けても良い。また、カメラ装置２を、カメラ撮影部20が水平状のカメラ軸心回りに上下方向揺動自在に設けても良い。
【００４９】
以上のように、本発明の誘引性多目的電子看板システムは、広告を表示するための電子看板本体１と、電子看板本体１近傍の広告視聴候補者Ｋを撮影するためのカメラ装置２と、を備え、さらに、広告がターゲットとしている人物像を分類した視聴者層データと、視聴者層データと関連付けられた広告データと、が予め入力されて記憶されているデータ記憶部５と、上記カメラ装置２からの映像データを受信して、撮影された広告視聴候補者Ｋが何れの視聴者層データに対応するか判定し、判定した視聴者層データと一致する視聴者層データに関連付けられた広告データを選択して、選択した広告データを電子看板本体１に表示させる視聴者認証広告選択手段31を有する情報処理装置３と、を具備するので、広告送り手側が広告内容を伝えたい、広告ターゲット者に確実に広告を見てもらうことができ、優れた宣伝効率を得ることができる。また、広告受け手側（視聴者）が興味を持つ広告が表示され、広告内容が強く心に残り高い宣伝効果を得ることができる。広告送り手側と受け手側の意図がマッチングしやすく、無駄が少なく優れた宣伝効率と宣伝効果が得られる。
【００５０】
また、カメラ装置２は、鉛直状のカメラ軸心廻りに首振自在として電子看板本体１に取着したので、多くの広告視聴候補者Ｋを撮影でき、多くの人（広告視聴候補者Ｋ）に適した広告データを電子看板本体１に配信して、表示させ、効率をより高くして、一層宣伝効果を得ることができる。
【００５１】
また、電子看板本体１は、鉛直状の看板軸心廻りに首振自在に設け、情報処理装置３は、カメラ装置２からの映像データを受信して、撮影された広告視聴候補者Ｋの人数分布を読み取って、電子看板本体１が向く方向を決定し、決定した方向に電子看板本体１を首振作動させる表示方向決定手段32を有するので、多くの広告視聴候補者Ｋに広告データを確実に視聴してもらうことができ、宣伝効果を高めることができる。
【００５２】
また、電子看板本体１は、緊急情報を受信すると作動する警告灯と、緊急情報を受信すると警告音を出力する警報音声出力器と、を備え、さらに、緊急情報を受信すると広告データより優先して緊急情報を表示する緊急情報割り込み手段を備えているので、地域の人々の安全と安心に寄与する防災緊急用電子看板本体として早変わりする。人々の安全、安心を目指した都市計画に貢献できる。
【００５３】
また、電子看板本体１は、緊急情報を受信すると、携帯端末基地局に受信した緊急情報を送信して携帯端末に緊急情報を配信するので、地域の人々の安全と安心に寄与する緊急情報配信装置として早変わりする。人々の安全、安心を目指した地域に特化した（災害や防災等）の緊急情報を発信しえるツールとできる。
【００５４】
また、広告視聴候補者Ｋを電子看板本体１に誘引する集客手段50を備えたので、誰も見ていないような無駄な広告を流す（表示及び音声出力）必要がなく、宣伝効率を確実に向上できる。また、多くの人（広告視聴候補者Ｋ）を引き寄せることができ、広告視聴率を向上できる。電子看板本体１が、多くの人に注目され、設置場所が一種のエンターテイメント空間となると共に人々の共感の場にすることができる。人が集まる街づくりに貢献できる。
【００５５】
また、電子看板本体１は、表て面側ディスプレイ部10と、背面側ディスプレイ部と、を有するので、広告データが同じ商品のものでも異なる内容のものを配信できる。例えば、自動車を宣伝する広告データの場合、表て面側に家族とのドライブ旅行での快適性をイメージした広告データを表示し、背面側に自動車の安全性をイメージした広告データを表示でき、効率が良い。また、表て面側と背面側の双方向に同じ内容の広告データを表示して、より多くの人々に提供し、広告効果を向上させ得る。また、異なる商品の広告データ（自動車の広告データと化粧品の広告データ）を同時に表示して、片面パネル型に比べて単純計算で２倍の広告データが表示でき、広告収入を増やせる。
また、ハイブリッドディスプレイ型の場合は、より詳細な画像で内容を表示したい場合に、広告視聴者が多い方向（表て面側）に、画質が詳細な方式のパネル（液晶パネル）が向くように、看板軸心回りに回転させ、飽きさせずに広告を視聴させることができる。
【符号の説明】
【００５６】
１  電子看板本体
２  カメラ装置
３  情報処理装置
５  データ記憶部
10Ａ  表て面側ディスプレイ部
31  視聴者認証広告選択手段
32  表示方向決定手段
51 誘引装置
59 誘引動作指示手段
Ｋ  広告視聴候補者
Ｔ 通信回線網
【図１】
0005953365.tif 000002
【図２】
0005953365.tif 000003
【図３】
0005953365.tif 000004
【図４】
0005953365.tif 000005
【図５】
0005953365.tif 000006
【図６】
0005953365.tif 000007
【図７】
0005953365.tif 000008
【図８】
0005953365.tif 000009